(57)【特許請求の範囲】
【請求項１】
織機のフレーム（４）上で、ジャカードタイプの織機の通糸と連動される、スプリング（５０）を連結する装置（４０）であり、スプリングと連結する手段（４３，４４）を備え、且つ共通のベース部（４１）と固定される複数のそれぞれのロッド（４２）から成る、前記装置において、
前記ベース部は、それぞれ２つの弾性的に変形可能なフック部（４１４，４１５）を備え、２つの細長い部分（２ｂ，３ｂ）に前記装置を弾性的に引っ掛け（Ｄ）、及びこれらの２つの細長い部分から前記装置を弾性的に取外し（Ｆ）するために、前記２つのフック部の各々が、２つの細長い部分の各々の対応した形状の２つの嘴部（２２ｂ，３２ｂ）の各々と協働するようになっていることを特徴とする装置。
【請求項２】
前記ベース部（４１）は、平面であり、且つ前記部分（２ｂ，３ｂ）の長手方向（Ｘ−Ｘ′）に直角の方向（Ｙ−Ｙ′）に配列されるようになっていることを特徴とする請求項１に記載の装置。
【請求項３】
前記ベース部（４１）には、前記装置（４０）を把持するためのハンドル部分を構成する開口部（４１３）が貫通されていることを特徴とする請求項１または２に記載の装置。
【請求項４】
前記フック部（４１４，４１５）と前記嘴部（２２ｂ，３２ｂ）は、これらそれぞれの接触面（４１４ａ，４１５ａ，２２ｃ，３２ｃ）が前記ベース部（４１）の厚さに含まれるように配向されていることを特徴とする請求項１から３のいずれか一つに記載の装置。
【請求項５】
前記ベース部（４１）は、前記細長い部分（２ｂ，３ｂ）に関して前記装置（４０）を取外すためのツール（６０）の一部を収容する領域（４１６ａ，４１７ａ）を形成した少なくとも１つの操作ハンドル部（４１６，４１７）から成ることを特徴とする請求項１から４のいずれか一つに記載の装置。
【請求項６】
この装置は、前記細長い部分（２ｂ，３ｂ）と固定されたガイド部材（７０，７１）と協働するようになっている、少なくとも１つの位置決め舌部（４１８，４１９）から成ることを特徴とする請求項１から５のいずれか一つに記載の装置。
【請求項７】
前記織機のフレーム（４）上で、ジャカードタイプの織機の通糸と連動されるスプリング（５０）を連結する組立体において、
この組立体が、請求項１から６のいずれか一つに記載したような複数の装置（４０）と、２つの細長い部分（２ｂ，３ｂ）とから成り、この細長い部分がこの織機のフレームと固定され、且つ横断面において前記装置の引っ掛け手段（４１４，４１５）と協働するようになっている２つの嘴部（２２ｂ，３２ｂ）を形成していることを特徴とする組立体。
【請求項８】
組立体は、少なくとも１つのガイド部材（７０，７１）から成り、これらガイド部材が前記部分の上に不動にされるようになっており、且つ前記部分（２ｂ，３ｂ）の長手方向（Ｘ−Ｘ′）で所定の間隔（ｐ）をおいて、前記装置（４０）のベース部（４１）の一部分（４１８，４１９）を収容する領域（７０ａ，７１ａ）を備えていることを特徴とする請求項７に記載の組立体。
【請求項９】
請求項７或は請求項８のいずれか一つに記載の少なくとも１つの組立体（１）から成ることを特徴とするジャカードタイプの織機。
【発明の詳細な説明】
【０００１】
【発明の属する技術分野】
本発明は、織機のフレーム上で、ジャカードタイプの織機の通糸と連動されスプリングを連結する装置と、このような装置から成る連結組立体と、及びこのような組立体を組込んだジャカードタイプの織機とに関する。
【０００２】
【従来の技術】
ジャカード装置のそれぞれのフックは、一つ或いはそれ以上のコードと連結されることが知られており、これらコードは互いにこの装置の通糸を構成する。それぞれのフックは、実質的に垂直方向で織機の経糸の位置を制御するメールを備えたヘルドの上端部に連結されている。それぞれのヘルドの下端部は、ヘルドに弾性的な復帰効果を発揮するスプリングによって、織機のフレームに関して固定された固定位置に連結されている。
【０００３】
例えばヨーロッパ特許出願公開第６７８  ６０３号明細書は、スプリングの巻数方向に捩じられるようになったねじ山を有する連結片によって織機のフレームと螺旋状のスプリングの下端とを連結する装置を備え、及びこの織機のフレームの共振を回避するために摩擦を発生さる目的でスプリングの回転と協働するようになっている２つの弾性的な分岐部より成ることが開示されている。この明細書は、銛形の連結片によるフレーム上の連結装置の個別の固定を提供し、この銛形の連結片は、手間取りまた面倒な取扱いを必要とし、且つそれ故にこのタイプの装置を有するジャカードタイプの織機の装備をいっそう高価にする。分解の場合、それぞれの連結片は個別に分解されねばならず、これは連結片の質の低下をたびたび起こす。
【０００４】
例えばドイツ連邦共和国実用新案第８６  ０９６６５号明細書によって、通糸板にそのヘッドを引っ掛ける銛形のヘッドを有する、ロッド状に延長したベース上で複数の連結装置を一体にすることが公知である。このような装置は、取外しが難しく、且つそれらの埋込み密度が、特に細長い部分で高くできない。
【０００５】
前記のことは、例えばフレーム上に支持されたバーが案内される中央の穴を有するベース上で列をなした４つの連結装置を、一体にすることが予想できる。しかしこのことは、ヨーロッパ特許出願公開第６７８  ６０３号明細書の公知技術より有利ではあるが、この装置とドイツ連邦共和国実用新案第８６  ０９６６５号明細書の公知技術は、メンテナンス操作の間に交換されねばならない装置に接近するために、枠からの数多くの装置の移動を必要とし、これは高い能力のある人的資源の必要のために手間取り、面倒であり且つ高価となる。同様に、この装置を組込む織機を組立てることは複雑な操作である。更に、糸屑がこのタイプの装置の間に蓄積する傾向にあり、それを清掃することは細心の注意を要する。
【０００６】
【発明が解決しようとする課題】
本発明の特徴的な目的は、スプリングと連結する手段を備え、且つ共通のベースに固定される複数のそれぞれのロッドから成るスプリング連結装置を提案することによって、これら前記の短所を克服することである。
【０００７】
【課題を解決するための手段】
本発明によると、このような装置は、前記ベース部は、それぞれ２つの弾性的に変形可能なフック部（４１４，４１５）を備え、２つの細長い部分（２ｂ，３ｂ）に前記装置を弾性的に引っ掛け（Ｄ）、及びこれらの２つの細長い部分から前記装置を弾性的に取外し（Ｆ）するために、前記２つのフック部の各々が、２つの細長い部分の各々の対応した形状の２つの嘴部（２２ｂ，３２ｂ）の各々と協働するようになっていることを特徴とする。
【０００８】
本発明により、隣接する締め具の同時的な組立て或いは分解の必要無しに、ベース部と別個のロッドによって形成された締め具は、部分的に特に迅速に装着され、且つ同時に迅速に分解される。装置の別個のロッドは、織機に関してグループで据付けられ、且つ分解される。柔軟性のあるフック部と嘴部は、細長い部分への、及びこの部分からの迅速な弾性的な引っ掛け及び取外しを許容する。
【０００９】
本発明の有益であるが必須ではない態様によると、この装置は、以下の一つ或いは多数の特徴を含んでいる。つまり、
−  このベース部は、実質的に平面であり、且つこれら細長い部分の長手方向に実質的に直角の方向に配列されるようになっている。このベース部の平面の性質は、通糸のスプリングと協働するようになったこれらロッドのより高い密度での、これら細長い部分の長手方向へのこれら締め具を並置することを可能にする。
通糸板の深さ方向に配置された同じ列のこれら全てのスプリングは、経糸の進行方向に配置された同じ締め具と共にグループ化されるように設けられ、一方、これら細長い部分が横糸と実質的に平行な方向に延長する。
−  このロッドは、このベース部の主要な面に本質的に沿って並置される。即ち、ロッドは、ベース部に延長した実質的に平らな縁を形成する。
−  このベース部には、この装置を把持するためのハンドル部分を構成する中央の開口部が、例えばこの装置を細長い部分の上に配置するために貫通されている。
−  これらのフック部と嘴部は、これらそれぞれの接触面がこのベース部の厚さに含まれるように配向され、このことは、これらのベース部を、従ってこれらのロッドを高い密度で並置することを可能にする。
−  このベース部は、これら細長い部分に関してこの装置（４０）を取外すためのツールの一部を収容する領域を形成した少なくとも１つの操作要素部から成る。
−  この装置は、これら細長い部分と固定されたガイド部材（スペーサバー）と協働するようになっている、少なくとも１つの位置決め舌部から成る。この舌部とガイド部材は、この構成によって形成された所定のピッチで、これら別個の装置を配列することを可能にする。
【００１０】
また本発明は、ジャカードタイプの通糸のスプリングの連結のための組立体に関し、この組立体が、先に記載したような複数の装置と、少なくとも１つの細長い部分とから成り、この細長い部分がこの織機のフレームと固定され、且つ横断面においてこの装置に設けられた引っ掛け手段と協働するようになっている少なくとも１つの嘴部を形成している。更に、少なくとも１つのガイド部材（スペーサバー）が、これら細長い部分の上に不動にされるように設けられており、且つこれら細長い部分の長手方向で所定の間隔をおいて、この装置のベース部の一部分を収容するための領域を提供している。
【００１１】
最後に、本発明は、先に記載したような組立体から成るジャカードタイプの織機に関している。このような織機は、組立て及び保守が比較的に簡単であり、そして一方、公知の織機と同等の効率性を有し、且つその費用コストとメンテナンスコストが公知の織機より実質的に低い。
【００１２】
【発明の実施の形態】
本発明は、連結の装置の２つの実施例の記載を読むことによって、以下の単に例として示され、且つ添付図面に関するその原理に従って、より容易に理解される。
【００１３】
ここで図面について説明する。図１ａ、ｂ及び図２に示された組立体１は、アルミニウム型材で成形され、且つ図１と２に符号５によってただ１つだけ図示されている複数のねじ山を有するロッドによって織機の下フレーム４上に据えられた、２本のレール２及び３を備えている。このフレーム４は時々、要素４が織機の構造に所属する固定した部分であることを意味するフレームを称して、織機の「基礎」と呼ばれる。それぞれのねじ山を有するロッド５は、レール２と３の下側フランジ２ａと３ａを締付け及び固定のための締め具を形成するプレート６と結合されている。レール２と３とは，実質的に織機において経糸の進む方向Ｙ−Ｙ′に直角をなす方向Ｘ−Ｘ′に延びており、従って方向Ｘ−Ｘ′が実質的に開口での経糸の挿入の方向に平行である。
【００１４】
スペーサ部材は、それらレールの間隔を置かれた離れた関係が、実質的に一定の値に保持されることができるように、これらレール２と３の間に配列されている。ただ一つのスペーサ部材７が見て取れるが、しかしこのスペーサ部材は、レール２と３の長さ全体にわたって分配されている。ねじ８は、スペーサ部材７および同等の部材に関してそれら型材を固定するために、これらレール或いは型材２と３の長さにわたって分配されている係留ナット９と協働する。
【００１５】
レール２の上側部分２ｂは、それら２つの分岐部２１及び２２の間に長手方向の溝部２３を形成する２つの分岐部２１及び２２によって形成された細長い部分を有している。外側分岐部２１は、長手方向の溝２１ａを備え、一方、内側分岐部２２が長手方向の溝２２ａを備えている。分岐部２２の終端部分２２ｂは、レール２と３の間に形成されたスペースの外側に向いた、嘴部あるいはフック部を形成している。
【００１６】
同様に、レール３の上側部分３ｂは、それら２つの分岐部３１及び３２の間に溝部３３を形成して２つの分岐部３１及び３２によって形成された細長い部分を有し、これらそれぞれ分岐部３１と３２が、長手方向の溝３１ａと３２ａをそれぞれに備え、一方、分岐部３２がその終端部分において、嘴部あるいはフック部３２ｂを形成している。
【００１７】
複数の締め具４０は、上側部分２bと３ｂとが協働して、２つのレール２と３によって形成された組立体上に、方向Ｘ−Ｘ′にわたって分配されている。それぞれの締め具４０は、ベース部４１と３２本のロッド４２によって形成され、これらロッドの自由端部、即ち上端４２ａが、螺旋状タイプのスプリング５０の内側容積に係合するように備えられている。ただ１本のスプリング５０が図示されているが、それぞれのロッド４２は協働するスプリングを備えている。
【００１８】
それぞれのロッド４２の上端４２ａは、対応するスプリング５０の巻数と協働するようになったねじ山部４３を、及びスプリング５０の内側面に接して擦れ合うようになった、２つに分れた二股分岐部４４を備えている。フランス特許出願公開第２  ７６６  ５０１号明細書、及びヨーロッパ特許出願公開第６７８  ６０３号明細書のそれぞれの技術的な教示、或いは他のアプローチによって、他の幾何学的形状が、それぞれのロッド４２の上端４２ａに備えられる連結手段４３および４４について考えられる。
【００１９】
ベース部４１とロッド４２は、ポリアミド（ＰＡ）或いはポリオキシメチレン（ＰＯＭ）のようなプラスチックス材料の射出成形により作られる一体部品として構成される。
【００２０】
このベース部４１は、実質的に平面である。それぞれの締め具４０の対称面は、同様に当該の締め具のロッド４２の、及びベース部４１の対称面である。それぞれのベース部４１の、この対称の面に対して垂直の厚さｅは相対的に小さく、即ち５ミリメートル以下、且つ望ましくはおよそ２ミリメートルである。
【００２１】
ベース部４１の上端エッジ部４１１は、実質的に直線状であり、且つロッド４２に直角をなしている。
【００２２】
ベース部４１の下線部４１２は、湾曲され且つ凸状でありベース部４１を構成する材料が十分な剛性を締め具４０に備える結果として、スペーサ部材７の上側で分岐部２２と３２の間に係合される。このベース部４１には、その中央部分で、特にスプリング５０がロッド４２の上端４２ａに載置される時に、この締め具４０を把持するためのハンドル部分を構成する開口部４１３が貫通されている。
【００２３】
更にベース部４１は、細長い部分２ｂ及び３ｂ上で、それぞれ締め具４０の弾性的な引っ掛けのための、分岐部２２と２３の嘴部あるいはフック部２２ｂと２３ｂと協働するようになった、２つの弾性的なフック部４１４と４１５を有している。弾性的な引っ掛けは、これらフック部が、ベース部４１と一体部品であるゆえにプラスチックス材料で作られたフック部４１４と４１５の弾性的に変形可能な性質によって得られる。
【００２４】
これらフック部４１４と４１５、及び嘴部２２ｂと３２ｂの幾何学的形状は、これらフック部及び嘴部のそれぞれの接触面４１４ａ，２２ｃ，４１５ａ及び３２ｃが、後者の嘴部が決まった位置にある時に、このベース部４１の厚さに定められている。従って、締め具４０は、レール２と３上に高い密度で並置される。
【００２５】
同様にこのベース部４１は、この開口部４１３に関連して、２つのハンドル部４１６と４１７をこれらフック部４１４と４１５の外側に差し出している。このフック部４１４とハンドル部４１６は、隙間スリット４２０によって分離され、一方、このフック部４１５とハンドル部４１７は、隙間スリット４２１によって分離されている。それぞれハンドル部４１６と４１７は、終端部分２２ｂと３２ｂに噛み合わされたフック部４１４と４１５を取外すための運動Ｆを作用させ、図２において単に一点鎖線で示した、ツール６０を収容する領域４１６ａ或いは４１７ａを形成する。
【００２６】
図２に示す実施例において、フック部４１４の柔軟な性質は、フック部４１５が嘴部あるいはフック部２２ｂから取外されることを許容するために利用される。もちろん、このツール６０は、ハンドル部４１６の反対の方向への取外しを許容するために利用される。
【００２７】
ハンドル部４１６或いは４１７がベース部４１のそれぞれの側面に備えられていることによって、この締め具が一方及びその組立の方向に関係ない方からアクセスできる時を含めて、締め具４０を取外すための操作を許容する。
【００２８】
それぞれこれらハンドル部４１６と４１７は、舌部４１８と４１９を延長し、これら舌部が、溝部２３と３３内にそれぞれ設けられた、２つのガイド部材（ガイドバー）７０と７１の開口部７０ａと７１ａ内に挿入するように設けられ、これらガイド部材が溝２１ａと２２ａ、３１ａと３２ａ内でそれぞれスライドされる。ガイド部材７０と７１上の開口部７０ａと７１ａのピッチｐは、レール２と３上のガイド部材７０の取付けピッチを決める。このピッチは、締め具４０の厚さｅより僅かに大きく選定される。
【００２９】
図１に示すように、レール２と３上の締め具４０を付加することが必要な時に、移動矢印Ｄによって表示されているように、この締め具の主要な面に実質的に平行の方向にずらされ、その後、プレート６の方向に作用され、フック部４１４と４１５の丸みを帯びた形状が、これらフック部の弾性的な変形によって自動的な引っ掛けを許容するために同様に嘴部２２ｂと３２ｂの丸みを帯びた形状と協働し、この締め具はレール上に配列される。従って、それぞれの締め具４０は、その主要な面に平行のＹ−Ｙ′の方向に配列される。Ｘ−Ｘ′の方向の調整は、開口部７０ａと７１ａのピッチに依存して行われる。
【００３０】
分解は、特にロッドの一つが損傷された時に、前記に述べたようにツール６０の助力によって行われる。また分解は、ハンドル部４１６或は４１７の一方、或はベース部４１の他の部分に対して牽引の作用を及ぼすことによって、人手によって行われる。
【００３１】
図６に示す本発明の第２の実施例において、第１の実施例の要素と同様の要素は、同一の符号を付けられている。この第２の実施例の締め具４０は、図１、２、４及び５に示したレール２と３によって形成されたタイプの細長い部分上に装置されるようになっている。この締め具は、ロッド４２が第１の実施例のロッドより実質的に短く、及びそれら上端４２ａが少しも二股分岐部を持たない点で第１の実施例と異なる。
【００３２】
これらフック部４１４と４１５は、エッジ部４１１と反対側のベース部４１から延びる２つの要素部４１′と４１″の端部にそれぞれ形成されている。フック部４１４と４１５を操作するハンドル部４１６と４１７は同様に要素部４１′と４１″に設けられ、その結果、第１の実施例においてのようなこれらフック部とこれらハンドル部を分離するスリットが無い。これら要素部４１′と４１″の屈曲運動は、この細長い部分に対応する嘴にフック部４１４と４１５の弾性的な引っ掛け、及びこれら嘴からこれらフック部の弾性的な取外しを許容する。
【００３３】
同様に、位置決め舌部４１８と４１９は、要素部４１′及び４１″の下側部分に設けられ、且つ第１の実施例の符号で記載されたガイド部材７０と７１のようなタイプのスペーサバーによって協働するようになっている。これらの舌部４１８と４１９は、要素部４１′と４１″の台部の厚さと異なる厚さであっても良い。
【００３４】
図１で示すような組立体を装備する開口形成装置は、織機への装着が容易であり、この従来技術での装置に比較して特に信頼でき、且つそのメンテナンスが大いに簡単化される。従って、このような装置を装備する織機は、公知の織機に比べて装着及び維持がより安価になる。
【００３５】
嘴部４１４と４１５及びフック部２２ｂと３２ｂの幾何学的形状は、本発明の範囲から逸脱すること無く変更可能である。特に、ベース部の嘴部は、細長い部分によって形成されたフック部の間に配置されても良い。
【図面の簡単な説明】
【図１】本発明に従うスプリング連結組立体が装備されている、織機の下部分の概略図である。
【図２】図１におけるII−II断面図である。
【図３】図２におけるIII部分の拡大した詳細図である。
【図４】図２におけるIV部分の拡大した詳細図である。
【図５】図２におけるV部分の拡大した詳細図である。
【図６】第２の実施の形態に従う正面図である。
【符号の説明】
１      組立体
２，３    レール
２ａ，３ａ    下側フランジ
２ｂ，３ｂ    上側部分
４      フレーム
５      ねじ山を有する棒
６      プレート
７      スペーサ部材
８      ねじ
９      ナット
２１，２２，３１，３２    分岐部
２１ａ，２２ａ，３１ａ，３２ａ    溝
２２ｂ，３２ｂ    嘴部（終端部分）
２２ｃ，３２ｃ    接触面
２３、３３    溝部
４０      締め具
４１      ベース部
４１′，４１″    要素部
４２      ロッド
４２ａ      上端
４３      ねじ山部
４４      二股分岐部
５０      スプリング
６０      ツール
７０，７１    ガイド部材（スペーサバー）
７０ａ，７１ａ    開口部
４１１    上端エッジ部
４１２    下線部
４１３    開口部
４１４，４１５    フック部
４１４ａ，４１５ａ    接触面
４１６，４１７    ハンドル部
４１６ａ，４１７ａ    領域
４１８，４１９    舌部
４２０，４２１    隙間スリット
Ｄ      引っ掛け方向を示す矢印
ｅ      厚さ
Ｆ      取外し方向を示す矢印
ｐ      ピッチ
Ｘ−Ｘ′    長手方向
Ｙ−Ｙ′    長手方向Ｘ−Ｘ′に実質的に直角の方向
【図１】
0004819216.tif 000002
【図２】
0004819216.tif 000003
【図３】
0004819216.tif 000004
【図４】
0004819216.tif 000005
【図５】
0004819216.tif 000006
【図６】
0004819216.tif 000007